(57)【要約】【課題】  本発明の目的は、外径66ｍｍ〜70ｍｍの光ディスクに情報を高密度に記録することにより、ＨＤＴＶ相当の高画質の動画像情報を記録でき、かつ、携帯性を要求されるカムコーダなどの情報記録媒体として適当な光ディスク提供することにある。【解決手段】  ディスクの外径を66ｍｍ〜70ｍｍとし、従来の外径120ｍｍ 書き換え型Blu-rayディスクと同一のトラックピッチで、記録密度などの記録条件も同一となるように情報を記録するなどにより、従来のBlu-rayディスクのデータフォーマットで、情報を書き換えることや新たに情報を記録できることを特徴とする光ディスク。【選択図】図１
2005310292.tif 000002
【特許請求の範囲】
【請求項１】
画像、或いは音声などの情報が記録されるディスク状記録媒体であって、
前記ディスク状記録媒体は、ディスクの外径が66ｍｍ〜70ｍｍ、トラックピッチが0.32μｍ〜0.35μｍ、ディスクの情報記録領域がディスク中心より半径24ｍｍ以上35ｍｍ未満であり、記録線密度が69.00ｎｍ/bit〜80.00ｎｍ/bitの条件を満足することを特徴とした光ディスク。
【請求項２】
請求項１に記載の光ディスクであって、直径120ｍｍのBlu-ray Discと同じデータフォーマットで記録されていることを特徴とする光ディスク。
【請求項３】
請求項１に記載の光ディスクであって、記録層が片面１層であることを特徴とするディスク装置。
【請求項４】
請求項１に記載の光ディスクであって、記録層が片面２層であることを特徴とするディスク装置。
【請求項５】
請求項１に記載の光ディスクであって、中心穴の直径が15ｍｍであることを特徴とするディスク装置。
【発明の詳細な説明】
【技術分野】
【０００１】
本発明は、光ディスクなどのディスク状記録媒体を用いる光ディスク記録に係り、特に、ディスク状記録媒体に動画及び音声などの情報を書き換え記録するビデオカムコーダなどの情報記録装置に搭載するのに好適な、外径が66ｍｍ〜70ｍｍの小径の光ディスクに関する。
【背景技術】
【０００２】
記録型の光ディスクは大量の情報を記録でき、かつ媒体互換が可能な特徴を備えている。情報の再生はレーザ光を情報記録面に集光し、記録マークによって変調された反射光を検出して行う。情報の記録は再生光よりも大きなパワーのビームを情報記録面に照射することによって記録マークを熱的に形成して行う。
【０００３】
直径70ｍｍ以下の小径の記録型光ディスクとして、既に市販されているミニディスクが知られている。繰り返し記録ができる記録型ミニディスクは、直径64.8ｍｍ、トラックピッチ1.6μｍ、最短マーク長0.83μｍの光磁気ディスクである。この記録型ミニディスクの記録容量は170ＭＢである。また、2004年1月にソニーが発表したＨｉ−ＭＤ規格は、同直径64.8ｍｍのディスクながら、トラックピッチ1.25μｍ、最短マーク長0.21μｍの光磁気ディスクであり、記録容量は1.0ＧＢと高容量化されている。
【０００４】
また、別の従来の記録型小径ディスクとしては、特開平９−２３７４４２号公報に記載されたものがある。この光ディスクは、外径45ｍｍ〜65ｍｍ、トラックピッチ0.45μｍ〜0.65μｍ、最短記録長0.325μｍ〜0.470μｍであり、外径120ｍｍのＰＤと同一の記録容量を持つ。ＰＤは、既に市販されている記録容量650ＭＢの記録型相変化光ディスクである。
【０００５】
その他に、外径が70ｍｍよりは大きいが、より高密度記録の記録型光ディスクもある。例えば、1.46ＧＢの記録容量を持つ、外径80ｍｍのＤＶＤ−ＲＡＭディスクがある。また、外径120ｍｍのBlu-rayディスクは、記録層が1層の場合、23.3ＧＢ〜27.0ＧＢの記録容量を持つ。
【０００６】
【特許文献１】特開平９−２３７４４２号公報
【発明の開示】
【発明が解決しようとする課題】
【０００７】
前記従来技術では、外径70ｍｍ以下のディスクはせいぜい１ＧＢの記録容量しかなく、情報量の多い動画像をディスクに記録するには不十分であるという問題があった。外径80ｍｍのＤＶＤ−ＲＡＭディスクの片面記録容量は1.46ＧＢであるため、Ｓ−ＶＨＳ相当の画質の動画像を前記ディスクに約30分記録することが可能であったが、今後増えるであろうハイヴィジョンＴＶ（以下、ＨＤＴＶと記す）相当の画質で動画像を前記ディスクに記録することには容量的に不十分である。
【０００８】
波長405ｎｍの青色レーザを記録光源に用いるBlu-rayディスクは、記録容量が飛躍的に向上して1層ディスクでも23.3ＧＢ〜27.0ＧＢの記録容量を持つ。しかしながら、Blu-rayディスクの外径は120ｍｍあり、携帯性を要求されるカムコーダのような情報記録装置用の記録媒体としては外径120ｍｍのBlu-rayディスクは不向きであるという問題があった。
【０００９】
本発明の目的は、前記不具合点を解消し、ＨＤＴＶ相当の画質の動画像情報を記録したときに、カムコーダなどでは高画質モード記録で一般に必要とされる記録時間30分ぶんの記録容量を確保し、かつ、携帯性を要求されるカムコーダなどの情報記録媒体として適当な外径66ｍｍ〜70ｍｍの光ディスクを提供することにある。
【課題を解決するための手段】
【００１０】
前記課題を解決するために、本発明の光ディスクは、ディスクの外径を66ｍｍ〜70ｍｍとし、従来の外径120ｍｍ Blu-rayディスクと同一のトラックピッチで、記録密度などの記録条件も同一となるように情報が記録される。本発明の光ディスクにおいて情報記録領域の内径側開始半径を、従来の外径120ｍｍ Blu-rayディスクの情報記録領域の内径側開始半径と同一にすることにより互換性を保ち、また従来のBlu-rayディスクのデータフォーマットで、情報を書き換えることや新たに情報を記録できるようにする。
【発明の効果】
【００１１】
本発明によれば、上述のフォーマットや記録諸条件などを用いることにより、ディスクの外径が66ｍｍ〜70ｍｍの小径ディスクに、ＨＤＴＶ相当の画質の動画像を約30分記録することが可能になる。さらに、従来のBlu-rayディスクと同じデータフォーマットで本発明の小径光ディスクに記録することにより、小径光ディスクドライブに従来のBlu-rayディスクドライブの信号処理用などのＬＳＩを共用することができると共に、本発明の光ディスクに記録されている情報を、従来のBlu-rayディスクドライブを用いた情報記録再生装置で容易に再生や記録が行えるなどの互換性が得られる。また、情報記録媒体である本発明の光ディスクが小径であることにより、記録容量が大きいだけでなく、携帯性がよい小さな情報記録装置、例えば小型の高画質カムコーダを提供できる。
【発明を実施するための最良の形態】
【００１２】
以下、本発明の実施例を図１を用いて説明する。
まず、ディスクの外径が68ｍｍで、片面1層の情報記録領域で約3.7ＧＢの記録容量を実現する、本発明による光ディスクの一実施例を説明する。
【００１３】
図1は、本発明による光ディスクの概略断面を示す図である。光ディスク1は、従来の外径120ｍｍ 書き換え型Blu-rayディスクと同様の相変化光ディスクであればよい。光ディスク1は、外周側から主に、リードアウト領域２、情報領域３、リードイン領域４から構成されている。ディスク１の中心からリードイン領域４までのディスクの物理的構成は、従来の外径120ｍｍ、記録容量23.3ＧＢ Blu-rayディスクの中心からリードイン領域までのディスクの物理的構成と同一であればよい。
【００１４】
情報領域３は、例えば図1に示すように、ディスク中心からの半径24ｍｍと半径32ｍｍにはさまれる領域とすればよい。情報領域３内では、トラックピッチが0.32μｍとなるように、土手・溝形式のトラックがスパイラル状に形成されている。情報領域３内での記録線密度を80ｎｍ/bitとし、例えば、従来の外径120ｍｍ Blu-rayディスクで用いられている信号処理などを用いることにより、情報領域３内に約3.7ＧＢの情報を記録することができる。
【００１５】
ここでいう信号処理とは、ユーザデータをディスク上に記録するための記録データ（以下、変調データと呼ぶ）に変換する処理（以下、変調処理と呼ぶ）、あるいはその逆変換の処理（以下、復調処理と呼ぶ）などを意味する。変調処理の具体的な処理としては、スクランブルや誤り訂正符号化、１−７変調などを行う。トラックピッチ0.32μｍのトラックに80ｎｍ/bitの記録線密度で変調データを記録する技術は、従来の外径120ｍｍ Blu-rayディスク装置で用いられている光学技術および記録再生処理技術を用いればよい。
【００１６】
ディスク1の半径32ｍｍの位置から外周に向かって始まるリードアウト領域２の物理的構成は、従来の外径120ｍｍ、記録容量23.3ＧＢ Blu-rayディスクのリードアウト領域の物理的構成を規定する規則と対応させて設定すればよい。リードアウト領域２の外側（外周側）には、光ディスク成型時に外縁部に生じやすい成型むらなどに対応するため、通例リム領域を設ける。リードアウト領域２とリム領域の境界は、ディスク１の半径32.5ｍｍの位置に設ければよいが、必ずしもこの値に限る必要はない。
【００１７】
情報領域３の記録容量が約3.7ＧＢあるので、MPEG4などの圧縮技術と約15Mbpsの転送レートを用いれば、ＨＤＴＶ 1920×1080 60fps相当の動画像を約30分、光ディスク1に記録することが可能になる。したがって、カムコーダなどの情報記録装置に本発明の光ディスク1を用いれば、高画質モードで動画像を約30分、画質を落としたモードであれば動画像を約1時間記録できるので、カムコーダ用途としては十分である。
【００１８】
また、一般に普及しているカムコーダの高さは約８ｃｍであるので、それより小さい外径68ｍｍのディスク１を情報記録媒体として使用するカムコーダは、一般に普及しているカムコーダと同等かそれ以下の大きさにでき、カムコーダなどの情報記録装置の携帯性を向上できる。
【００１９】
さらに、上述したように、光ディスク１の中心からリードイン領域４までのディスクの物理的構成を、従来の外径120ｍｍ Blu-rayディスクの中心からリードイン領域までのディスクの物理的構成と同一とする等すれば、既存のBlu-rayディスクを用いた情報記録装置でも情報の記録再生ができるため、互換性も確保できる。
【００２０】
以上の説明では、ディスクの外径が68ｍｍで、片面１層の情報記録領域で約3.7ＧＢの記録容量を実現する、光ディスクの一実施例を示したが、記録線密度などを変えることにより、情報記録領域の記録容量を変更することは可能である。例えば、上述説明の中で示された数値のうち、情報領域３内での記録線密度を74.5ｎｍ/bitとすれば、情報領域３内に約4.0ＧＢの情報を記録することができる。
【００２１】
この場合、ディスク１の中心からリードイン領域４までのディスクの物理的構成は、従来の外径120ｍｍ、記録容量25ＧＢ Blu-rayディスクの中心からリードイン領域までのディスクの物理的構成と同一とし、かつ、ディスク1の半径32ｍｍの位置から外周に向かって始まるリードアウト領域２の物理的構成は、従来の外径120ｍｍ、記録容量25ＧＢ Blu-rayディスクのリードアウト領域の物理的構成を規定する規則と対応させて設定する。情報領域３の記録容量が約4.0ＧＢあるので、MPEG4などの圧縮技術と約15Mbpsの転送レートを用いれば、ＨＤＴＶ 1920×1080 60fps相当の動画像を約36分、光ディスク１に記録することが可能になる。
【００２２】
これまでの説明では、光ディスク1は従来の外径120ｍｍ 書き換え型Blu-rayディスクと同様の相変化光ディスクであればよいとしていたが、ディスクの種類をこれに限る必要は無く、例えば追記型Blu-rayディスクでもよい。また、Blu-rayディスクに限る必要もない。例えば、従来の外径120ｍｍ 書き換え型Blu-rayディスクの規格とは異なるトラックピッチや記録線密度であっても構わない。
【００２３】
また、ディスクの外径が68ｍｍのディスクの例を示したが、これに限る必要もない。例えば、ディスクの外径が70ｍｍならば、上述の例のうち、情報領域３を、ディスク中心からの半径24ｍｍと半径33ｍｍにはさまれる領域とし、半径33ｍｍから外周に向かってリードアウト領域２とすればよい。このようにすることにより、光ディスク1の外径の変更に合わせて、情報領域３の記録容量を変更できる。
【図面の簡単な説明】
【００２４】
【図１】本発明の一実施例を示す図で、光ディスクの概略断面を示す図である。
【符号の説明】
【００２５】
１・・光ディスク、      ２・・リードアウト領域、    ３・・情報領域
４・・リードイン領域、      ５・・中心穴。
【図１】
2005310292.tif 000003